(57)【要約】【課題】機密文書の原稿読取が行われた際、機密文書の読取画像データが蓄積保持されることを確実に防止することができる画像形成装置を提供する。【解決手段】  複合機１は、原稿画像を読み取り、読み取りした読取画像データを出力する読取部４０と、読取画像データを記憶する画像メモリ８０と、画像メモリ８０に記憶した読取画像データを記録紙上に記録する記録部５０と、原稿内部又は原稿上に存在するＩＣタグに書き込まれたタグ情報を読み取るＩＣタグリーダライタ部９０を備える。ＭＰＵ１０（マイクロプロセッシングユニット）は、タグ情報に基づいて、画像メモリ８０に読取画像データを蓄積するか否かを判断する。【選択図】        図１
2006163057.tif 000002
【特許請求の範囲】
【請求項１】
原稿画像を読み取って読取画像データを出力する画像読取手段と、
前記読取画像データを記憶する記憶手段と、
前記記憶手段に記憶した読取画像データを記録媒体上に記録する記録手段と、
原稿内部又は原稿上に存在する無線タグに書き込まれたタグ情報を読み取るタグ読取手段と、
前記タグ情報に基づいて、記録後も前記記憶手段に読取画像データを蓄積保持するか否かを制御する制御手段と
を備えることを特徴とする画像形成装置。
【請求項２】
前記画像読取手段から出力された非圧縮状態の読取画像データを圧縮する圧縮手段を備え、
前記制御手段は、前記記憶手段に読取画像データを蓄積保持する場合、前記圧縮手段から出力された圧縮状態の読取画像データを前記記憶手段に蓄積保持することを特徴とする請求項１に記載の画像形成装置。
【請求項３】
前記制御手段は、前記タグ情報の有無に応じて、記録後も前記記憶手段に読取画像データを蓄積保持するか否かを制御することを特徴とする請求項１又は請求項２に記載の画像形成装置。
【請求項４】
前記制御手段は、前記タグ情報の内容に応じて、記録後も前記記憶手段に読取画像データを蓄積保持するか否かを制御することを特徴とする請求項１又は請求項２に記載の画像形成装置。
【請求項５】
原稿の機密レベルに応じて、前記画像読取手段、記憶手段及び記録手段のうち、少なくとも１つの手段の実行動作を設定した実行動作データを記憶する実行動作データ記憶手段を備え、
前記制御手段は、前記タグ情報に基づいて原稿画像の機密レベルを判断し、該機密レベルに対応する前記実行動作データに基づいて、前記画像読取手段、記憶手段及び記録手段の少なくともいずれか１つの実行動作を制御することを特徴とする請求項１又は請求項２に記載の画像形成装置。
【請求項６】
前記実行動作データ記憶手段には、前記機密レベルに応じて、前記画像読取手段、記憶手段及び記録手段のうち、少なくとも１つの手段の実行動作データを設定したセットを複数記憶可能であり、
切替指示に応じて、使用する前記実行動作データのセットを切り替える切替手段を備えたことを特徴とする請求項５に記載の画像形成装置。
【発明の詳細な説明】
【技術分野】
【０００１】
本発明は、複写機、ファクシミリ装置等の画像形成装置に関する。
【背景技術】
【０００２】
従来から、デジタル複写機や、ファクシミリ装置等の画像形成装置では、コピー時に原稿を読み取り、その機器内部で生成された読取画像データをコピー実行後もメモリ等の記憶手段に蓄積保持することにより、原稿を再度読み取ることなく、コピーが得られるようにした「もう一度コピー」機能を備えたものがある。しかし、この機能は、一方では、機密性が高い読取画像データであっても自動的にメモリ等の記憶装置に蓄積保持されてしまい、機密性が高い読取画像データが意図しない形で、流出してしまう問題がある。
【０００３】
そこで、機密漏洩防止のために、原稿を読み取りした際、生成された読取画像データ中の文字認識を行い、該読取画像データ中に特定の記号等が含まれていた場合、オペレータに読取画像が自動保存されていることを知らせて、注意喚起させるようにしている。そして、該読取画像データの保存や破棄をオペレータに選択させることにより、オペレータの知らないうちに機密文書が保存されてしまうことを防止する技術（特許文献１）が提案されている。
【特許文献１】特開２００１−２６６１１２号公報
【発明の開示】
【発明が解決しようとする課題】
【０００４】
しかし、特許文献１では、オペレータによって、原稿の読取画像データを蓄積保持するか否かを設定することが可能ではあるが、オペレータの操作ミス等により機密文書が記憶装置に蓄積保持されてしまう危険性は依然として存在する。又、特許文献１では、文字認識を行って判断するため、もれなく注意喚起を行うためには、特定の記号等を認識し易い形態で付与しておく必要があり、利用形態が制限されるという問題がある。
【０００５】
本発明の目的は、機密文書の原稿読取が行われた際、機密文書の読取画像データが蓄積保持されることを確実に防止することができる画像形成装置を提供することにある。
【課題を解決するための手段】
【０００６】
上記問題点を解決するために、請求項１に記載の発明は、原稿画像を読み取って読取画像データを出力する画像読取手段と、前記読取画像データを記憶する記憶手段と、前記記憶手段に記憶した読取画像データを記録媒体上に記録する記録手段と、原稿内部又は原稿上に存在する無線タグに書き込まれたタグ情報を読み取るタグ読取手段と、前記タグ情報に基づいて、記録後も前記記憶手段に読取画像データを蓄積保持するか否かを制御する制御手段とを備えることを特徴とする画像形成装置を要旨とするものである。
【０００７】
請求項２の発明は、請求項１において、前記画像読取手段から出力された非圧縮状態の読取画像データを圧縮する圧縮手段を備え、前記制御手段は、前記記憶手段に読取画像データを蓄積保持する場合、前記圧縮手段から出力された圧縮状態の読取画像データを前記記憶手段に蓄積保持することを特徴とする。
【０００８】
請求項３の発明は、請求項１又は請求項２において、前記制御手段は、前記タグ情報の有無に応じて、記録後も前記記憶手段に読取画像データを蓄積保持するか否かを制御することを特徴とする。
【０００９】
請求項４の発明は、請求項１又は請求項２において、前記制御手段は、前記タグ情報の内容に応じて、記録後も前記記憶手段に読取画像データを蓄積保持するか否かを制御することを特徴とする。
【００１０】
請求項５の発明は、請求項１又は請求項２において、原稿の機密レベルに応じて、前記画像読取手段、記憶手段及び記録手段のうち、少なくとも１つの手段の実行動作を設定した実行動作データを記憶する実行動作データ記憶手段を備え、前記制御手段は、前記タグ情報に基づいて原稿画像の機密レベルを判断し、該機密レベルに対応する前記実行動作データに基づいて、前記画像読取手段、記憶手段及び記録手段の少なくともいずれか１つの実行動作を制御することを特徴とする。
【００１１】
請求項６の発明は、請求項５において、前記実行動作データ記憶手段には、前記機密レベルに応じて、前記画像読取手段、記憶手段及び記録手段のうち、少なくとも１つの手段の実行動作データを設定したセットを複数記憶可能であり、切替指示に応じて、使用する前記実行動作データのセットを切り替える切替手段を備えたことを特徴とする。
【発明の効果】
【００１２】
請求項１の発明によれば、タグ情報に基づいて、記憶手段に読取画像データを蓄積保持するか、否かを判断するため、利用形態が制限されることがなく、確実に記憶手段による読取画像データの蓄積保持を防止することができる。
【００１３】
請求項２の発明によれば、記憶手段には、圧縮手段により圧縮状態とされた読取画像データを記憶保持できる。
請求項３の発明によれば、タグ情報の有無に応じて、記録後も記憶手段に読取画像データを蓄積保持するか否かを制御でき、請求項１又は請求項２の作用効果を容易に実現できる。
【００１４】
請求項４の発明によれば、タグ情報の内容に応じて、記録後も記憶手段に読取画像データを蓄積保持するか否かを制御でき、請求項１又は請求項２の作用効果を容易に実現できる。
【００１５】
請求項５の発明によれば、画像読取手段、記憶手段及び記録手段のうち、少なくとも１つの手段が、タグ情報に基づく原稿画像の機密レベルに応じて、実行動作データに基づき作動することができる。この結果、タグ情報の機密レベルに応じて、読取画像データに対する処理等を行うことができる。
【００１６】
請求項６の発明によれば、切替指示に応じて、使用する実行動作データのセットが切り替えられるため、前記画像読取手段、記憶手段及び記録手段のうち、少なくとも１つの手段を、切り替えられたセットの実行動作データに基づいて作動させることができる。
【発明を実施するための最良の形態】
【００１７】
（第１実施形態）
以下、本発明を、画像形成装置として、コピー機能や、ファクシミリ機能、ネットワーク機能を備えた複合機１に具体化した一実施形態を図１〜図３に従って説明する。
【００１８】
図１に示すように、複合機１は、ＭＰＵ１０（Micro Processing Unit）、ＲＯＭ２０、ＲＡＭ３０、クロック回路３５、読取部４０、記録部５０、操作部６０、表示部７０、画像メモリ８０、コーデック１４０、モデム１５０、ＮＣＵ１６０及びＬＡＮインターフェィス１００等から構成される。又、前記各部等はＭＰＵ１０に対してバス１３０を介してそれぞれ接続されている。
【００１９】
ＭＰＵ１０は、複合機１を構成する各部を制御する。ＭＰＵ１０は、本発明の制御手段に相当する。ＲＯＭ２０は、複合機１を制御するための各種プログラムを記憶する。ＲＡＭ３０は、複合機１に関する各種情報を記憶する。クロック回路３５は、現在日時を計時し、ＭＰＵ１０からの要求信号に応じて、現在日時の情報をＭＰＵ１０に出力する。
【００２０】
図１に示す読取部４０は、原稿載置板（図示しない）上に載置された静止原稿を読み取るＦＢＳ４３（フラットベッドスキャナ）を備え、原稿上の画像データを読み取って、白黒２値のイメージデータとして読取画像データを出力する。又、読取部４０は、ＡＤＦ４１（Auto  Document  Ｆeeder）を備えている。ＡＤＦ４１は、原稿台に載置された複数の原稿を１枚ずつ自動的に搬送して、原稿画像を読取部４０にて読み取らせる。読取部４０により画像読取手段が構成されている。なお、読取部４０は、白黒２値の読取画像データを出力するものに限定するものではなく、ＲＧＢ多値のイメージデータとして読取画像データを出力するカラー読取部としてもよい。
【００２１】
ＡＤＦ４１には、原稿が原稿台に載置されたことを検出するための原稿有無センサ４２が配設されている。この原稿有無センサ４２は、原稿の有無に応じて検出信号をＭＰＵ１０に出力する。一方、ＦＢＳ４３には、原稿カバーの開閉状態を検出するためのカバー開閉センサ４４が配設されている。このカバー開閉センサ４４は、カバーの開閉がされた際に、カバー開閉検出の信号をＭＰＵ１０に出力する。又、ＦＢＳ４３には、原稿が原稿載置板（図示しない）上に載置されたか否か、すなわち原稿の有無を検出するための原稿有無センサ４５が配設されている。この原稿有無センサ４５は、原稿の有無に応じて検出信号をＭＰＵ１０に出力する。
【００２２】
記録部５０は、電子写真方式のプリンタよりなり、受信画像データや、コピー動作において読取部４０にて読み取られた原稿画像の読取画像データを、記録媒体としての記録紙上に記録する。記録部５０は記録手段に相当する。
【００２３】
操作部６０は、ＦＡＸモード、コピーモード、又はスキャナーに設定するためのモード切替キー６２、再コピーを行うための、もう一度コピーキー６４、原稿消去キー６５、原稿の読み取り動作を開始させるためのスタートキー６６、原稿消去タイマ設定キー６７、及び図示はしないが、文字キーや、テンキー等を備えている。
【００２４】
もう一度コピーキー６４のオン操作により、もう一度コピーモードになり、もう一度コピーするための指示信号がＭＰＵ１０に入力される。又、原稿消去タイマ設定キー６７の設定操作により、画像メモリ８０に蓄積する読取画像データの蓄積保持時間の設定が可能である。原稿消去タイマ設定キー６７により、読取画像データの蓄積保持時間が設定されると、ＭＰＵ１０が備える図示しないタイマは、設定蓄積保持時間をカウント可能である。そして、該タイマがカウントアップすると（すなわち、設定蓄積保持時間を経過すると）、ＭＰＵ１０は、画像メモリ８０に記憶した読取画像データを消去するため指示信号を出力するようにされている。
【００２５】
なお、ここで再コピー機能とは、画像読取を行うコピー動作において、読取画像データを記録媒体に記録後も、該読取画像データを記憶手段に蓄積保持しておき、再度画像記録指示を入力（操作入力）すると、蓄積保持していた読取画像データを読み出して記録することができる機能をいう。すなわち、再コピー機能とは、以前のコピー動作時に得た読取画像データを記憶手段に蓄積保持しておき、再度画像記録指示を入力すると、再度の画像読取を行うことなしに、蓄積保持されている読取画像データを前記記憶手段から読み出して記録することができる機能をいう。
【００２６】
又、原稿消去キー６５の操作により、画像メモリ８０に蓄積された読取画像データの消去指令がＭＰＵ１０に入力され、ＭＰＵ１０は、この消去指令に基づいて、画像メモリ８０に蓄積された読取画像データを消去する。  ここで、「消去」について説明する。本明細書での「消去」は、単に物理的に記憶手段から読取画像データを消去することだけを意味するものではなく、記憶手段から、読み出し不能に消去する意味である。例えば、物理的には記憶手段から消去はしないが、管理テーブルと読取画像データとのリンクを切る場合も含む趣旨である。管理テーブルは、読取画像データの読み出し時に参照されるものであって、読取画像データのアドレス等が記載されるテーブルである。読取画像データを記憶手段に蓄積する際に、読取画像データのアドレスが管理テーブルに記載される。このように管理テーブルとのリンクが切られると、読取画像データは、読み出すことが不可能となり、実質的に、消去されていると同じになる。このように、消去されると、後述するもう一度コピーモードにおいて、再コピーが不能になる。
【００２７】
表示部７０は、ＬＣＤ等よりなり、複合機１の動作状態等の各種情報の表示を行う。画像メモリ８０は、ＤＲＡＭ等で構成され、読取部４０で読み取られてコーデック１４０で符号化（圧縮）された読取画像データや、受信画像データを一時的に記憶する。画像メモリ８０は、本発明の記憶手段に相当する。  ＩＣタグリーダライタ部９０は、インターフェィス９２を介して、バス１３０に接続されており、図示しない原稿に設けられた無線タグとしてのＩＣタグとの間で、無線通信を行うようにされている。ＩＣタグリーダライタ部９０は、タグ読取手段に相当する。なお、本実施形態では、タグ読取手段をＩＣタグリーダライタ部９０としたが、タグ読取手段を、ＩＣタグ情報の読み出しのみが可能なＩＣタグリーダ部にて構成してもよい。
【００２８】
一般的に、ＩＣタグは、利用する通信周波数等により分類される通信方式により、主に４種類に分類されている。前記分類は、ＩＣタグと読み書きを行うＩＣタグリーダライタ部９０との通信距離が長い順から、マイクロ波型、近傍型、近接型、密着型とされている。マイクロ波型は、マイクロ波の電磁誘導を利用するものであり、通信距離は３ｍ〜１０ｍ程度のものである。近傍型は、長波の電磁誘導を利用したものであり、その通信距離は３０〜７０ｃｍ程度である。近接型は、短波の電磁誘導を利用したもので、その通信距離は１〜３０ｃｍ程度である。密着型は、短波の電磁誘導を利用したもので、その通信距離は数ｍｍ程度である。
【００２９】
本発明では、紙からなる原稿上に、又は、原稿内（例えばＩＣタグが抄き込まれている場合）にＩＣタグを設けているため、ＩＣタグは、電磁誘導により電源を得る無電池のものとなる型が好ましく、近傍型、近接型、密着型のいずれかを使用すればよい。以下、本実施形態では、近傍型のＩＣタグを使用しているものとして説明するが、他の無電池の型であってもよい。又、本実施形態のＩＣタグは、原稿（原稿用紙）に記載されている内容（なお、説明の便宜上、文書や、図等を含む）が機密性を有するものであれば、ＩＣタグの図示しない記憶部にタグ情報として、「機密」の旨のデータが予め格納されているものとする。なお、「機密」の旨のデータとしては、機密の意味を直接示すデータばかりでなく、単に「再コピー不可」の旨のデータも含む趣旨である。
【００３０】
ＩＣタグリーダライタ部９０は、ＡＤＦ４１の原稿台やＦＢＳ４３の原稿が載置されるフラットベッドガラス（図示しない）に対してIＣタグを設けた原稿を載置したときに、該ＩＣタグと通信可能な距離範囲内に位置するように、複合機１に設けられている。ＩＣタグリーダライタ部９０を設ける場所は、限定するものではないが、例えば、ＦＢＳ４３の原稿カバー（図示しない）や、ＡＤＦ４１の原稿台等に設ければよい。又、ＡＤＦ４１において設けられている原稿搬送経路上に、ＩＣタグリーダライタ部９０を設けてもよい。ＩＣタグリーダライタ部９０と、ＩＣタグとの間の無線通信は、ＩＳ０１４４４３やＩＳＯ１５６９３に規定された各種通信方式を用いて行うことができるようにされているが、これらの通信方式に限定されるものではない。いずれの通信方式を用いた場合であっても、まず、ＩＣタグリーダライタ部９０から通信を要求するリクエスト信号を送信する必要があるため、例えば、原稿有無センサ４２，４５により原稿検出がされた場合に、ＭＰＵ１０の制御指令により、リクエスト信号を送信するようにされている。
【００３１】
ＬＡＮ  インターフェィス１００は、ＬＡＮ（ローカルエリアネットワーク）１１０との接続用インターフェィスであり、複合機１は、このＬＡＮ  インターフェィス１００を介してＬＡＮ１１０経由で、電子メールや、データの送受信等を行う。そして、複合機１は、ＬＡＮ  インターフェィス１００を介してＬＡＮ１１０経由で、図示しない複数のネットワーク端末や、サーバ１２０と接続可能とされている。
【００３２】
コーデック１４０は、読取部４０から入力された非圧縮状態の読取画像データをＭＨ，ＭＲ，ＭＭＲ，ＪＢＩＧ方式等に従って符号化（エンコード）、すなわち、圧縮する。又、コーデック１４０は、画像メモリ８０から読み出された画像データを復号化（デコード）する。コーデック１４０は、読取画像データを圧縮する圧縮手段及び圧縮された読取画像データを伸張する伸張手段に相当する。
【００３３】
モデム１５０は、ＩＴＵ−Ｔ勧告Ｔ．３０に従ったファクシミリ伝送制御手順に基づいて、Ｖ．１７，Ｖ．２７ｔｅｒ，Ｖ．２９等に従った送信データの変調及び受信データの復調を行う。ＮＣＵ１６０は、図示しない電話回線を閉結及び開放するとともに、相手先の電話番号に対応したダイヤル信号を送出する機能及び着信を検出する機能を備えている。
【００３４】
（第１実施形態の作用）
以下、ＦＢＳ４３を使用してコピーする場合、及びそのコピー後に再コピーする場合の説明をする。
【００３５】
図２は、ＦＢＳ４３を使用して原稿をコピーする際、ＲＯＭ２０に記憶されたコピー制御プログラムに基づき、ＭＰＵ１０が実行する原稿読取の際のフローチャートである。このフローチャートは、モード切替キー６２にてコピーモードに設定され、スタートキー６６が操作されたとき、実行される。
【００３６】
Ｓ１０では、スタートキー６６のオン操作に応じて、ＭＰＵ１０は、読取部４０を制御して、ＦＢＳ４３のフラットベッドガラス（図示しない）に載置された静止原稿の読取（スキャン）を行わせる。Ｓ２０では、ＭＰＵ１０は、読取部４０にて原稿が読み取りされて生成された読取画像データの圧縮処理を行い、圧縮処理を行った後の読取画像データを画像メモリ８０に蓄積する。具体的には、ＭＰＵ１０は、圧縮処理として、前記読取画像データをコーデック１４０を介して符号化する。
【００３７】
Ｓ３０では、ＭＰＵ１０は、画像メモリ８０から圧縮状態の読取画像データを読み出し、伸張処理を行った上で、伸張された該読取画像データを記録部５０にて記録紙上にプリントする。具体的には、ＭＰＵ１０は、伸張処理として、コーデック１４０を介して復号化する。
【００３８】
次のＳ４０では、ＭＰＵ１０は、記録部５０においてプリントが終了したか否かを判定し、終了していない場合には、Ｓ３０に戻り、終了した場合には、Ｓ５０に移行する。Ｓ５０では、ＭＰＵ１０は、IＣタグのタグ情報が、「機密」の旨のデータか否か、或いは、原稿消去キー６５が操作されたか否かを判定する。なお、ＩＣタグのタグ情報をＭＰＵ１０が入力する仕方については後述する。ＩＣタグのタグ情報が、「機密」の旨のデータでなかったり、ＩＣタグのタグ情報がない場合（すなわち、ＩＣタグ無し原稿の場合）や、原稿消去キー６５が操作されていない場合には、ＭＰＵ１０は、Ｓ５０の判定を「ＮＯ」とし、このフローチャートを終了する。すなわち、ＭＰＵ１０は、Ｓ２０において、画像メモリ８０に蓄積した読取画像データを保持する。又、ＩＣタグのタグ情報が「機密」の旨のデータである場合や、原稿消去キー６５が操作されている場合には、ＭＰＵ１０は、Ｓ５０の判定を「ＹＥＳ」とし、Ｓ６０に移行する。
【００３９】
Ｓ５０における、本実施形態のＭＰＵ１０は、本発明の判断手段に相当する。
Ｓ６０では、ＭＰＵ１０は、画像メモリ８０に記憶した読取画像データを消去し、このフローチャートを終了する。
【００４０】
ここで、ＩＣタグからのタグ情報の入力の仕方について説明する。
本実施形態では原稿の内容が機密性を有するものであれば、ＩＣタグの記憶部に「機密」の旨のデータを意味するタグ情報が格納されている。そして、原稿がフラットベッドガラス（図示しない）に載置され、原稿カバーが閉じられ、原稿有無センサ４５が原稿検出をすると、ＭＰＵ１０は、ＩＣタグリーダライタ部９０に対してリクエスト信号を送信するように制御指令を発する。ＩＣタグリーダライタ部９０は、この制御指令を受けて、図示しないアンテナからリクエスト信号を送信する。このリクエスト信号に対して、IＤタグから、応答波がなければ、ＭＰＵ１０は、フラットベッドガラス（図示しない）に載置された原稿がＩＣタグを備えた原稿ではない、すなわち、「タグ情報がない」と判定する。そして、このときの「タグ情報がない」の判定結果を、ＭＰＵ１０は、Ｓ５０での判定に使用する。
【００４１】
又、前記リクエスト信号に対するＩＣタグからの応答波をＩＣタグリーダライタ部９０が受信した場合、ＭＰＵ１０は、受信した内容（タグ情報）を解析して、「機密」の旨のデータがある場合には、「タグ情報あり」と判定する。そして、このときの判定結果を、ＭＰＵ１０は、Ｓ５０での判定に使用する。上記のような、タグ情報の有無の判定結果は、図２のフローチャートが開始される前に行われ、その判定結果や解析は図２のフローチャートの実行時に使用される。なお、第１実施形態では、タグ情報の内容を解析して、「機密」の旨のデータがある場合には、「タグ情報あり」の判定することにしているが、これに限定されるものではなく、タグ情報の内容にかかわらずタグ情報があれば、「タグ情報」ありと判定するようにしてもよい。
【００４２】
Ｓ５０において、ＭＰＵ１０が「ＮＯ」と判定した後、図２のルーチンが終了すると、ＭＰＵ１０が備える図示しないタイマは、蓄積保持時間のカウントを開始する。そして、該タイマがカウントアップすると（すなわち、設定された蓄積保持時間を経過すると）、ＭＰＵ１０は、指示信号を出力し、画像メモリ８０に記憶した読取画像データを消去する。  図３は、もう一度コピーモードに設定された場合、すなわち、もう一度コピーキー６４がオペレータによりオン操作された場合に、ＲＯＭ２０に記憶されたもう一度コピー制御プログラムに基づき、ＭＰＵ１０が実行する処理のフローチャートである。
【００４３】
Ｓ１００では、ＭＰＵ１０は、読取画像データが画像メモリ８０にあるか否かを判定する。画像メモリ８０に読取画像データある場合は、Ｓ１１０に移行する。又、画像メモリ８０に読取画像データない場合は、Ｓ１６０において、ＭＰＵ１０は、表示部７０に、読取画像データがない旨（例えば、「原稿がありません。」）を表示し、このフローチャートを終了する。なお、読取画像データが画像メモリ８０にない場合は、下記の（１）及び（２）の場合を含む。
【００４４】
（１）  図２において、Ｓ５０の処理で「ＹＥＳ」と判定された場合。
（２）  Ｓ５０の処理で「ＮＯ」と判定されて、読取画像データが画像メモリ８０に蓄積保持はされていたが、その後、設定蓄積保持時間が経過してしまい、ＭＰＵ１０により、画像メモリ８０に蓄積保持されていた読取画像データが消去された場合。
【００４５】
Ｓ１１０では、ＭＰＵ１０は、画像メモリ８０から圧縮状態の読取画像データを読み出し、伸張処理を行う。具体的には、Ｓ１１０では、ＭＰＵ１０は、伸張処理として、コーデック１４０を介して復号化する。
【００４６】
Ｓ１２０では、ＭＰＵ１０は、伸張した該読取画像データを記録部５０にて記録紙上にプリントする。Ｓ１３０では、ＭＰＵ１０は、記録部５０においてプリントが終了したか否かを判定し、終了していない場合には、Ｓ１２０に戻り、終了した場合には、Ｓ１４０に移行する。
【００４７】
Ｓ１４０では、ＭＰＵ１０は、原稿消去キー６５が操作されたか否かを判定する。ＭＰＵ１０は、原稿消去キー６５が操作されていると判定した場合には、Ｓ１５０で、画像メモリ８０に記憶した読取画像データを消去し、このフローチャートを終了する。又、Ｓ１４０において、ＭＰＵ１０は、原稿消去キー６５が操作されていないと判定した場合には、このフローチャートを終了する。すなわち、ＭＰＵ１０は、画像メモリ８０に蓄積した読取画像データを保持する。
【００４８】
（ＡＤＦ４１を使用する場合のＳ５０の判定処理について）
なお、ＡＤＦ４１を使用して原稿をコピーする際は、ＲＯＭ２０に記憶されたＡＤＦ使用のコピー制御プログラムに基づき、原稿のコピーが行われる。ＡＤＦ４１を使用して原稿をコピーする際、Ｓ１０におけるスキャンの仕方が異なるだけであり、このスキャンは公知であるため、詳細な説明は省略する。
【００４９】
なお、ＡＤＦ４１を使用する場合に実行される、図２のフローチャートにおいては、Ｓ５０の判定処理は、下記のようにされている。
本実施形態では、ＩＣタグリーダライタ部９０は、ＡＤＦ４１の原稿台やＦＢＳ４３の原稿が載置されるフラットベッドガラス（図示しない）に対してIＣタグを設けた原稿を載置したときに、該ＩＣタグと通信可能な距離範囲内に位置するように、複合機１に設けられている。そして、複数原稿にそれぞれ存在する各ＩＣタグのタグ情報のうち、１つでもIＣタグのタグ情報が、「機密」の旨のデータである場合、或いは、原稿消去キー６５が操作された場合には、Ｓ５０の判定を「ＹＥＳ」とし、Ｓ６０に移行する。
【００５０】
又、複数原稿にそれぞれ存在する各ＩＣタグのタグ情報が全て「機密」の旨のデータでない場合、或いは、原稿消去キー６５が操作されていない場合には、１０ＭＰＵはＳ５０の判定を「ＮＯ」とし、このフローチャートを終了する。すなわち、ＭＰＵ１０は、Ｓ２０において、画像メモリ８０に蓄積した読取画像データを保持する。
【００５１】
上記したように、第１実施形態では、Ｓ５０において、原稿のＩＣタグのタグ情報が「機密」の旨のデータであると判定されると、読取画像データは、画像メモリ８０から自動的に消去される。この結果、オペレータが、機密性がある原稿をコピーした場合であっても、画像メモリ８０に読取画像データが記憶保持されていないため、この後、例えば、オペレータ以外の他人が、もう一度コピーキー６４を操作しても、読取画像データが再コピーされることはなく、機密文書の内容が流出してしまうことがない。
【００５２】
（第１実施形態の変形例）
次に、ＡＤＦ４１を使用する場合の変形例を図４を参照して説明する。なお、この変形例は、ＩＣタグリーダライタ部９０を、ＡＤＦ４１の原稿台に設ける代わりに、ＡＤＦ４１において設けられている原稿搬送経路上に、ＩＣタグリーダライタ部９０を設けた場合であり、原稿のＩＣタグは近接型や或いは密着型にされている。
【００５３】
図４は、ＦＢＳ４３を使用して原稿をコピーする際、ＲＯＭ２０に記憶されたコピー制御プログラムに基づき、ＭＰＵ１０が実行する原稿読取の際のフローチャートであり、第１実施形態とは、Ｓ５０，Ｓ６０の代わりに、Ｓ５００〜Ｓ５３０の処理がＭＰＵ１０により実行されるところが異なっている。
【００５４】
このようなハード構成にして、１枚ずつ原稿搬送経路上に移動する原稿をＳ１０においてＡＤＦ４１でスキャン（読取り）する。Ｓ２０において、原稿１枚毎に読取画像データを、コーデック１４０を介して符号化（圧縮）した上で画像メモリ８０に蓄積する際、その蓄積する読取画像データと対応する原稿のＩＣタグのタグ情報を該読取画像データに関連付けて、画像メモリ８０に蓄積する。続くＳ３０及びＳ４０では、第１実施形態と同様の処理を行い、Ｓ４０でプリント処理が終了すると、Ｓ５００に移行する。
【００５５】
Ｓ５００では、ＭＰＵ１０は読取画像データ消去ありか否かを、画像メモリ８０に蓄積された頁毎の読取画像データに関連付けられたタグ情報に基づいて判定する。IＣタグのタグ情報が、「機密」の旨のデータである場合は、ＭＰＵ１０は、判定を「ＹＥＳ」としてＳ５１０に移行して、当該タグ情報と関連付けられた読取画像データを該タグ情報とともに消去し、Ｓ５００に戻る。このようにして、IＣタグのタグ情報が「機密」の旨のデータである場合は、「機密」の旨のデータであるＩＣタグ情報と関連付けられた読取画像データがなくなるまで、Ｓ５００，Ｓ５１０の処理を繰り返す。又、Ｓ５００において、「機密」の旨のデータであるタグ情報がない場合は、或いは、「機密」の旨のデータであるタグ情報がなくなった場合は、Ｓ５２０に移行し、原稿消去キー６５が操作されたか否かを判定する。
【００５６】
ＭＰＵ１０は、原稿消去キー６５が操作されていると判定した場合には、Ｓ５３０で、画像メモリ８０に記憶した読取画像データを消去し、このフローチャートを終了する。又、Ｓ５１０において、ＭＰＵ１０は、原稿消去キー６５が操作されていないと判定した場合には、このフローチャートを終了する。すなわち、ＭＰＵ１０は、原稿の１頁分に相当する読取画像データでも画像メモリ８０に残っていれば、ジョブとして、画像メモリ８０に蓄積した読取画像データを保持する。
【００５７】
なお、この変形例においても、第１実施形態と同様にタグ情報の内容を解析して、「機密」の旨のデータがある場合には、「タグ情報あり」と判定することにしているが、これに限定されるものではなく、タグ情報の内容にかかわらずタグ情報があれば、「タグ情報あり」と判定するようにしてもよい。又、この変形例においても、第１実施形態と同様に、１頁分の読取画像データにタグ情報がありと判定した場合、Ｓ５００において、１ジョブの中で読取されて得られた全ての読取画像データを蓄積保持対象外として消去するようにしてもよい。
【００５８】
上記のように、変形例では、原稿毎にタグ情報の有無や、或いはＩＣタグ情報の内容に基づいて、読取画像データは、画像メモリ８０から自動的に消去される。この結果、オペレータが、機密性がある原稿をコピーした場合であっても、画像メモリ８０に読取画像データが記憶保持されていないため、この後に、もう一度コピーキー６４を操作しても、読取画像データがコピーされることはない。
【００５９】
（第２実施形態）
次に、第２実施形態を図５〜７を参照して説明する。なお、第１実施形態と同一構成については、同一部号を付して、その説明を省略し、異なるところを中心に説明する。
【００６０】
第２実施形態では、タグ情報が「機密」の旨のデータである場合、さらに、その機密性の度合いとして、重要度低レベル、重要度中レベル、重要度高レベル、重要度最高度レベルの４段階のうち、いずれか１つの機密レベルデータが設定可能とされている。そして、原稿の内容の機密性に応じた機密レベルデータが「機密」の旨のデータとともにＩＣタグの記憶部に記憶されている。
【００６１】
又、第１実施形態では、図２のフローチャートで示すコピーモードと、図３のフローチャートで示す、もう一度コピーモードがあった。これに対して、第２実施形態では、図５と図７でそれぞれ示すコピーモードと、図６及び図１で示す、もう一度コピーモードを備えるところが異なる。
【００６２】
すなわち、第２実施形態では、オペレータがコピーする時刻が、１日のうちで、いずれの時間帯に属するかにより、コピーモード、もう一度コピーモードが異なるようにされている。第２実施形態では、時間帯は、１日を昼の時間帯と夜の時間帯とに２つに区分されている。
【００６３】
第２実施形態では、昼の時間帯は午前６時〜午後６時とされ、夜の時間帯は、午前０時から午前６時と、午後６時〜午前０時とされているが、この時間帯に限定するものではない。例えば、機密管理を厳しくする必要がある時間帯と、機密管理を緩める時間帯とにより適宜設定すればよい。ＭＰＵ１０は、クロック回路３５が計時する現在日時が、前述したいずれかの時間帯に入るときに、その時間帯に予め対応して設定されたコピーモードと、もう一度コピーモードに切替設定する。
【００６４】
具体的には、後述する昼の時間帯におけるコピー制御プログラム及びもう一度コピー制御プログラムとを１つのセットとし、夜の時間帯におけるコピー制御プログラム及びもう一度コピー制御プログラムを他の１つのセットとし、両セットをＲＯＭ２０に記憶している。そして、ＭＰＵ１０は、クロック回路３５が計時する現在日時が、前記異なる時間帯に入ったときに、切替指示として、切替フラグを立てるようにされている。この切替フラグに基づいて、切替手段としてのＭＰＵ１０は、いずれかの時間帯のセットである制御プログラムに基づいて、コピー制御プログラム或いはもう一度コピー制御プログラムを実行するようにされている。
【００６５】
以下、ＭＰＵ１０が各制御プログラムに従って行う処理を示す各フローチャートについて説明する。なお、タグ情報の有無の判定結果は、図５のフローチャートが開始される前に行われ、その判定結果や解析は図５のフローチャートの実行時に使用される。なお、第２実施形態においても、第１実施形態と同様に、タグ情報の内容を解析して、「機密」の旨のデータがある場合には、「タグ情報あり」の判定することにしているが、これに限定されるものではなく、タグ情報の内容にかかわらずタグ情報があれば、「タグ情報」ありと判定するようにしてもよい。
【００６６】
（昼の時間帯）
図５は、昼の時間帯において、ＦＢＳ４３を使用して原稿をコピーする際、ＲＯＭ２０に記憶されたコピー制御プログラムに基づき、ＭＰＵ１０が実行する処理のフローチャートである。この昼の時間帯におけるコピー制御プログラムが、実行動作データに相当する。このフローチャートは、モード切替キー６２にて昼の時間帯のコピーモードに設定され、スタートキー６６が操作されたとき、実行される。
【００６７】
Ｓ２１０では、ＭＰＵ１０は、原稿のＩＣタグのタグ情報があるか否かを判定する。タグ情報がない場合（すなわち、ＩＣタグ無し原稿の場合）は、ＭＰＵ１０はＳ２２０に移行する。又、ＭＰＵ１０は、ＩＣタグのタグ情報に「機密」の旨のデータがあり、機密レベルデータが、重要度低レベル、又は重要度高レベルであると判定した場合も、Ｓ２２０に移行する。
【００６８】
Ｓ２２０では、ＭＰＵ１０は、第１実施形態の図２のＳ１０と同様の処理を行い、Ｓ２３０に移行する。Ｓ２３０において、ＭＰＵ１０は、画像メモリ８０に対して、読取部４０にて原稿が読み取りされて生成された読取画像データを、コーデック１４０を介して圧縮処理（符号化）した上で蓄積する。併せて、ＭＰＵ１０は、前記蓄積した読取画像データと関連付けて、タグ情報がない場合は、「タグ情報なし」、機密レベルデータが重要度低レベル、又は重要度高レベルの場合は、それぞれ重要度低レベル、又は重要度高レベルの機密レベルデータを、画像メモリ８０に記憶する。
【００６９】
Ｓ２１０において、ＭＰＵ１０は、ＩＣタグのタグ情報に「機密」の旨のデータがあり、機密レベルデータが、重要度低レベル又は、重要度高レベルではないと判定した場合、Ｓ２４０において、下記の判定を行う。
【００７０】
（３）  機密レベルデータが、重要度中レベルか重要度最高度レベルか否かの判定。
（４）  （３）の判定により機密レベルデータが重要度中レベルの場合、表示部７０の画面上で、暗号化のためのキー（鍵）の入力を促した後、キー（鍵）の入力があったか否かの判定。
【００７１】
Ｓ２４０において、ＭＰＵ１０は機密レベルデータが、重要度中レベルでなく重要度最高度レベルである場合、及び機密レベルデータが重要度中レベルであるが、キー（鍵）の入力が表示部７０で暗号化のためのキー（鍵）の入力を促してから所定時間の間ない場合は、Ｓ２７０において、プリント禁止処理を行い、このフローチャートを終了する。すなわち、Ｓ２７０では、制御手段としてのＭＰＵ１０は、表示部７０を制御してフラットベッドガラス（図示しない）に載置した原稿が、機密レベルが重要度最高度レベルか、又は、機密レベルが重要度中レベルであるが、キー（鍵）の入力がないため、コピーできない旨を表示する。あわせて、ＭＰＵ１０は、スタートキー６６の操作によっては、少なくともいずれか一方を読取部４０及び記録部５０を駆動制御しないようにする。本実施形態では、ＭＰＵ１０は、読取部４０及び記録部５０を駆動制御しない。
【００７２】
Ｓ２４０において、ＭＰＵ１０は、機密レベルデータが、重要度中レベルであリ、キー（鍵）の入力があった場合、Ｓ２５０に移行する。Ｓ２５０では、ＭＰＵ１０は、読取部４０を制御して、ＦＢＳ４３のフラットベッドガラス（図示しない）に載置された静止原稿の読取（スキャン）を行わせる。次のＳ２６０では、ＭＰＵ１０は、読取部４０で原稿を読み取りした読取画像データの圧縮処理を行う。ここでの圧縮処理は、第１実施形態と異なり暗号化処理と符号化処理を含む。すなわち、ＭＰＵ１０は、前記読取画像データを入力があったキー（鍵）に基づいて暗号化し、さらにコーデック１４０を介して符号化する。ここで、第２実施形態では、ＭＰＵ１０と、コーデック１４０とにより、圧縮手段が構成されている。この後、ＭＰＵ１０は、画像メモリ８０に対して、暗号化処理及び符号化処理が行われた読取画像データを蓄積し、Ｓ２８０に移行する。なお、暗号化と符号化の順序は、逆にしてもよい。
【００７３】
又、Ｓ２６０では、併せて、ＭＰＵ１０は、前記圧縮処理して蓄積した読取画像データと関連付けて、重要度中レベルデータを、画像メモリ８０に記録する。ＭＰＵ１０は、暗号化手段に相当する。なお、暗号方法は、公知の方法でよい。
【００７４】
次のＳ２８０のプリント処理では、Ｓ２３０から移行した場合、すなわち、「タグ情報なし」、重要度低レベル、又は重要度高レベルの場合は、ＭＰＵ１０は圧縮状態の読取画像データを画像メモリ８０から読み出し、伸張処理を行った上で、伸張された該読取画像データを記録部５０にて記録紙上にプリントする。具体的には、ＭＰＵ１０は、伸張処理として、コーデック１４０を介して復号化する。
【００７５】
一方、Ｓ２６０からＳ２８０に移行した場合、まず、ＭＰＵ１０は画像メモリ８０から圧縮状態の読取画像データを読み出し、コーデック１４０を介して復号化処理を行い、さらに、前記入力されたキー（鍵）に基づいて解読処理を行って得られた読取画像データを記録部５０にて記録紙上にプリントする。このように、Ｓ２６０からＳ２８０に移行した場合、Ｓ２８０においては、伸張ステップとして、復号化処理及び解読処理が行われる。
【００７６】
Ｓ２９０では、ＭＰＵ１０は、記録部５０においてプリントが終了したか否かを判定し、終了していない場合には、Ｓ２８０に戻り、終了した場合には、Ｓ３００に移行する。
Ｓ３００では、ＭＰＵ１０は、原稿消去キー６５が操作されたか、機密レベルデータが、重要度低、重要度中、或いは重要度高レベルか否かを判定する。ＭＰＵ１０は、原稿消去キー６５が操作されていると判定した場合、或いは、機密レベルデータが、重要度高レベルの場合には、「ＹＥＳ」と判定し、Ｓ３１０で、画像メモリ８０に記憶した読取画像データを消去し、このフローチャートを終了する。
【００７７】
又、Ｓ３００において、ＭＰＵ１０は、原稿消去キー６５が操作されていない、或いは機密レベルデータが、重要度低、又は重要度中レベルと判定した場合には、「ＮＯ」と判定し、このフローチャートを終了する。すなわち、ＭＰＵ１０は、画像メモリ８０に記憶した読取画像データを保持する。
【００７８】
なお、昼の時間帯において、ＡＤＦ４１を使用して原稿をコピーする際は、ＲＯＭ２０に記憶されたＡＤＦ使用のコピー制御プログラムに基づき、原稿のコピーが行われる。この場合、図４と略同様の処理が行われるが、ＡＤＦ４１を使用して原稿をコピーする際、Ｓ２２０及びＳ２５０におけるスキャンの仕方が異なるだけであり、このスキャンは公知であり、他のステップについてはＦＢＳ４３で行うコピー処理と同様に行われるため、その説明を省略する。  図６は、昼の時間帯において、画像メモリ８０に、暗号化された、或いは暗号化されていない読取画像データが記憶されている状態で、もう一度コピーキー６４がオペレータによりオン操作された際、ＲＯＭ２０に記憶されたもう一度コピー制御プログラムに基づき、ＭＰＵ１０が実行する処理のフローチャートである。この昼の時間帯におけるもう一度コピー制御プログラムは、実行動作データに相当する。
【００７９】
Ｓ４００では、ＭＰＵ１０は、読取画像データが画像メモリ８０にあるか否かを判定する。画像メモリ８０に読取画像データある場合は、Ｓ４１０に移行する。又、画像メモリ８０に読取画像データない場合は、Ｓ４９０において、ＭＰＵ１０は、表示部７０に、読取画像データがない旨（例えば、「原稿がありません。」）を表示し、このフローチャートを終了する。なお、読取画像データが画像メモリ８０にない場合は、下記の（５）及び（６）の場合を含む。
【００８０】
（５）  図５において、Ｓ３００の処理で「ＹＥＳ」と判定された場合。
（６）  Ｓ３００の処理で「ＮＯ」と判定されて、読取画像データが画像メモリ８０に蓄積保持はされていたが、その後、設定蓄積保持時間が経過してしまい、ＭＰＵ１０により、画像メモリ８０に蓄積保持されていた読取画像データが消去された場合。  Ｓ４１０では、ＭＰＵ１０は、読み出した読取画像データの機密レベルデータが、重要度中レベルか否かを判定する。
【００８１】
Ｓ４１０において、ＭＰＵ１０は、前記機密レベルデータが、重要度中レベルの場合、Ｓ４２０において、操作部６０から、図示しないテンキーや、文字キーによる、キー（鍵ー）の入力があったか否かを判定する。キー（鍵）の入力がない場合（すなわち、所定時間内に入力がない場合）には、Ｓ４５０に移行する。
【００８２】
Ｓ４２０において、キー（鍵）の入力があったと、ＭＰＵ１０が判定した場合には、Ｓ４３０においては、ＭＰＵ１０により画像メモリ８０から圧縮状態の読取画像データが読み出される。又、Ｓ４３０では、伸張処理が行われた後、Ｓ４５０に移行する。ここでの伸張処理とは、コーデック１４０を介して復号化処理が行われ、さらに、前記入力されたキー（鍵）に基づいてＭＰＵ１０にて解読処理が行われる処理である。このように、Ｓ４２０からＳ４３０に移行した場合、Ｓ４３０においては、伸張ステップとして、復号化処理及び解読処理が行われる。ここで、キー（鍵）の入力は、ＭＰＵ１０が解読を行うための暗号解除指示に相当する。又、コーデック１４０と、ＭＰＵ１０とにより、伸張手段が構成されている。そして、ＭＰＵ１０は、このキー（鍵）の入力の有無に応じて、暗号化された読取画像データを解読又は、解読しないで、記録手段である記録部５０により、記録紙に記録させる解読手段に相当する。なお、キー（鍵）の入力の有無とは、解読可能な正しいキー（鍵）の入力があった場合を基準としているものである。すなわち、正しいキー（鍵）入力を有りとし、正しくないキー（鍵）の入力があった場合や、あるいは、全くキーの入力がない場合には、キー（鍵）の入力が無いとしている。
【００８３】
Ｓ４１０において、ＭＰＵ１０は、読み出した読取画像データの機密レベルデータが、重要度中レベルでない場合は、Ｓ４４０に移行する。Ｓ４４０では、読取画像データを画像メモリ８０から読み出し、伸張処理を行う。ここでの伸張処理はコーデック１４０を介して、復号化処理のみを行うことである。
【００８４】
Ｓ４５０では、Ｓ４４０において、伸張処理として、復号化処理が行われた読取画像データ、或いは、Ｓ４３０において、伸張処理として、復号化処理及び解読処理が行われた読取画像データを記録部５０にて記録紙上にプリントを行わせる。Ｓ４６０では、ＭＰＵ１０は、記録部５０においてプリントが終了したか否かを判定し、終了していない場合には、Ｓ４５０に戻り、終了した場合には、Ｓ４７０に移行する。
【００８５】
Ｓ４７０では、原稿消去キー６５が操作されたか否かを判定する。ＭＰＵ１０は、原稿消去キー６５が操作されていると判定した場合には、Ｓ４８０で、画像メモリ８０に記憶した読取画像データを消去し、このフローチャートを終了する。又、Ｓ４７０において、ＭＰＵ１０は、原稿消去キー６５が操作されていないと判定した場合には、このフローチャートを終了する。すなわち、ＭＰＵ１０は、画像メモリ８０に記憶した読取画像データを保持する。
【００８６】
このように、昼の時間帯のコピーモードは、ＩＣタグのタグ情報が機密レベルにおいて重要度最高度の場合は、該ＩＣタグを有する原稿は、コピーできない効果があり、機密保持できる効果がある。
【００８７】
又、昼の時間帯のコピーモードは、ＩＣタグのタグ情報が機密レベルにおいて、重要度高レベルの場合、読取画像データは、画像メモリ８０に記憶保持されない。このため、機密レベルにおいて、重要度高レベルの場合は、もう一度コピーを行うことができず、機密保持ができる効果がある。
【００８８】
昼の時間帯のコピーモードは、ＩＣタグのタグ情報が機密レベルにおいて、重要度中レベルの場合、読取画像データは、暗号化されて画像メモリ８０に記憶される。このため、もう一度コピーの場合は、キー（鍵）の入力されない限り、もう一度コピーされた記録紙は、暗号化されたままの画像データがプリントされる。このため、機密レベルにおいて、重要度中レベルの場合は、重要度中の場合、キー（鍵）を知らないオペレータに対して、機密保持ができる効果がある。
【００８９】
昼の時間帯のコピーモードは、ＩＣタグのタグ情報が機密レベルにおいて、重要度低レベルの場合、読取画像データは、画像メモリ８０に記憶保持される。このため、もう一度コピーの場合は、もう一度コピーされた記録紙は、画像データがプリントされる。このため、機密レベルにおいて、重要度低レベルの場合は、もう一度コピーできる効果がある。
【００９０】
（夜の時間帯）
次に夜の時間帯におけるコピーモードと、もう一度コピーモードについて説明する。
図７は、夜の時間帯において、ＦＢＳ４３を使用して原稿をコピーする際、ＲＯＭ２０に記憶されたコピー制御プログラムに基づき、ＭＰＵ１０が実行する処理のフローチャートである。この夜の時間帯におけるコピー制御プログラムが、実行動作データに相当する。このフローチャートは、モード切替キー６２にて夜の時間帯におけるコピーモードに設定され、スタートキー６６が操作されたとき、実行される。
【００９１】
図７のフローチャートは、図５に示す昼の時間帯におけるコピーモードのフローチャートとは、Ｓ３００の代わりに，Ｓ３００Ａの処理が行われるところが異なり、他のステップにおける処理は同一であるため、この異なるステップであるＳ３００Ａについて説明し、他のステップについては説明を省略する。
【００９２】
Ｓ３００Ａでは、ＭＰＵ１０は、原稿消去キー６５が操作されたか、機密レベルデータが、重要度低、重要度中、或いは重要度高レベルか否かを判定する。ＭＰＵ１０は、原稿消去キー６５が操作されていると判定した場合、或いは、機密レベルデータが、重要度低、中、高レベルのいずれかの場合には、Ｓ３１０で、画像メモリ８０に記憶した読取画像データを消去し、このフローチャートを終了する。
【００９３】
このように、夜の時間帯においては、機密管理を厳しくするために、Ｓ３００Ａで、機密レベルデータが、重要度低、中、高レベルと判定されると、いずれも、読取画像データは、画像メモリ８０から消去される。このため、もう一度コピーはできなくなる。従って、画像メモリ８０から読取画像データは消去されない場合は、タグ情報がない、ＩＣタグ無し原稿の場合だけである。
【００９４】
なお、夜の時間帯において、ＡＤＦ４１を使用して原稿をコピーする際は、ＲＯＭ２０に記憶されたＡＤＦ使用のコピー制御プログラムに基づき、原稿のコピーが行われる。この場合、図５と略同様の処理が行われるが、ＡＤＦ４１を使用して原稿をコピーする際、Ｓ２２０及びＳ２５０におけるスキャンの仕方が異なるだけであり、このスキャンは公知であり、他のステップについてはＦＢＳ４３で行うコピー処理と同様に行われるため、その説明を省略する。
【００９５】
夜の時間帯における、もう一度コピーモードは、ＲＯＭ２０に記憶されたもう一度コピー制御プログラムに基づき、ＭＰＵ１０が実行するが、内容は、第１実施形態の図３に示す処理のフローチャートと同様であるため、説明を省略する。この夜の時間帯におけるもう一度コピー制御プログラムが、実行動作データに相当する。
【００９６】
この場合においても、画像メモリ８０に読取画像データが記憶されていない状態では、もう一度コピーキー６４がオペレータによりオン操作された場合、ＭＰＵ１０は、このフローチャートの代わりに表示部７０に、読取画像データがない旨を表示する。
【００９７】
夜の時間帯のコピーモードは、ＩＣタグのタグ情報が機密レベルにおいて、重要度低、中、高レベルの場合、読取画像データは、画像メモリ８０に記憶されない。このため、夜の時間帯において、もう一度コピーする場合、機密レベルにおいて、重要度低、中、高レベルの場合は、もう一度コピーを行うことができず、機密保持ができる効果がある。従って、夜の時間帯におけるもう一度コピーができる場合は、タグ情報がない、ＩＣタグ無し原稿の場合だけある。
【００９８】
なお、第２実施形態では、ＲＯＭ２０は、実行動作データを記憶する実行動作データ記憶手段に相当する。
なお、本発明の実施形態は以下のように変更してもよい。
【００９９】
○  第２実施形態の時間帯の範囲は、適宜変更してもよい。例えば、季節（例えば夏と冬）に応じて変更するようにしてもよい。
○  第２実施形態においては１日を昼と夜とに区分したが、午前と午後とに区分するようにしてもよい。或いは、時間帯を２分割したが、３分割分以上の時間帯にし、各時間帯毎に、機密レベルに応じた、処理を行わせるようにしてもよい。
【０１００】
○  第２実施形態の、機密レベルのうち、重要度最高度レベルを省略しても良い。この場合、図５に示すフローチャートのコピー制御プログラムのうち、Ｓ２４０、Ｓ２７０が省略される。
【０１０１】
○  第２実施形態の、機密レベルのうち、重要度高レベルを省略しても良い。この場合、図５に示すフローチャートのコピー制御プログラムのうち、Ｓ２１０，Ｓ３００の処理において、機能レベルの重要度高レベルか否かの判定が省略される。
【０１０２】
○  第２実施形態の、機密レベルのうち、重要度中レベルを省略してもよい。この場合、図５に示すフローチャートのコピー制御プログラムのうち，Ｓ２１０の判定処理では、重要度最高度レベルか否かの判定も含み、重要度最高度レベルの場合に、Ｓ２７０に移行させ、一方、Ｓ２４０、Ｓ２５０，Ｓ２６０が省略されて、Ｓ２８０に移行させればよい。この場合、読取画像データの暗号化処理が行われないためＳ２８０では単に画像メモリ８０からの読み出した読取画像データにてプリント処理を行う。又、この場合、図６のフローチャートでは、Ｓ４２０〜Ｓ４４０が省略され、Ｓ４１０からＳ４５０に移行するようにする。
【０１０３】
さらに、図７に示すフローチャートのもう一度コピー制御プログラムのうち、前述と同様にＳ２１０の判定処理が、重要度最高度レベルか否かの判定も含ませ、重要度最高度レベルの場合に、Ｓ２７０に移行し、Ｓ２４０，Ｓ２５０，Ｓ２６０を省略して、Ｓ２８０に移行させればよい。
【０１０４】
○  第２実施形態の機密レベルのうち、重要度最高度レベルと、重要度高レベルを省略しても良い。この場合、図５に示すフローチャートのコピー制御プログラムのうち、Ｓ２４０、Ｓ２７０が省略され、Ｓ２１０，Ｓ３００の処理のうち、機能レベルの重要度高レベルか否かの判定が省略される。
【０１０５】
○  第２実施形態の機密レベルのうち、重要度最高度レベルと、重要度中レベルを省略しても良い。この場合も、前述したように、それぞれのレベルが省略された場合における図５、図７の各ステップの処理を変更或いは省略すればよい。
【０１０６】
○  第２実施形態の機密レベルのうち、重要度最高度レベルと、重要度高レベル、低レベルを省略し、重要度中レベルを残すようにしてもよい。この場合、図５に示すフローチャートのコピー制御プログラムのうち、Ｓ２４０、Ｓ２７０が省略される。又、図５のフローチャートのＳ２１０の処理のうち、機能レベルの重要度高レベル、低レベルか否かの判定が省略される。又、Ｓ３００の処理において、機能レベルの重要度高レベルか否かの判定が省略される。
【０１０７】
又、図７のフローチャートのもう一度コピー制御プログラムでは、Ｓ２４０、Ｓ２７０が省略され、Ｓ２１０及びＳ３００Ａの処理のうち、機能レベルの重要度高レベル、低レベルか否かの判定が省略される。
【０１０８】
○  前記実施形態では、ネットワークスキャンが可能なファクシミリ装置に具体化したが、ネットワークスキャンが不能なファクシミリ装置や、デジタル複写機等に具体化してもよい。
【０１０９】
○  第２実施形態では、クロック回路３５が計時する現在日時が、昼、夜のいずれかの時間帯に入ったときに、ＭＰＵ１０は自動的に切替指示としての切替フラグを立てるようにした。この代わりに、複合機１の管理者等が、操作部６０に設けた切替ボタン（図示しない）の切替操作に基づいて、切替指示としての切替フラグを立てるようにしてもよい。
【０１１０】
○  第１実施形態では、「機密」の旨のデータをタグ情報としたが、この代わりに、タグ情報として、「再コピー可」又は、「通常文書（非機密文書）」の旨としてもよい、この場合、図２のＳ５０での処理において、ＭＰＵ１０は、IＣタグのタグ情報が、「再コピー可」又は、「通常文書（非機密文書）」か否かを判定する。そして、IＣタグのタグ情報が、「再コピー可」又は、「通常文書（非機密文書）」、或いは、原稿消去キー６５が操作されていない場合には、ＭＰＵ１０は判定を「ＮＯ」として、このフローチャートを終了する。又、ＩＣタグのタグ情報が、「再コピー可」や「通常文書（非機密文書）」でない場合や、原稿消去キー６５が操作されている場合には、ＭＰＵ１０は、「判定を「ＹＥＳ」としてＳ６０に移行するようにする。このようにしても第１実施形態と同様の効果を奏する。
【０１１１】
○図５のＳ２４０において、前記キー（鍵）入力の代わりに、パスワード入力に代えても良い。この場合、パスワード入力された場合、Ｓ２６０では、暗号化処理を省略して、符号化を行うとともに、入力されたパスワードを符号化された読取画像データに関連付けする。そして、図６のＳ４２０においては、キー（鍵）入力の有無の判定の代わりに，パスワード入力がされたか否かの判定を行い、Ｓ４２０で入力されたパスワードが、Ｓ２６０で関連付けされたパスワードと一致する場合は、Ｓ４３０において、読取画像データの伸張処理（復号化処理）を行うようにする。なお、Ｓ４２０において、パスワード入力がされない場合は、プリント禁止処理を行うようにする。
【図面の簡単な説明】
【０１１２】
【図１】本発明を具体化した第１実施形態の複合機１のブロック図。
【図２】第１実施形態の原稿読取の際のフローチャート。
【図３】同じくもう一度コピーの際の原稿読取の際のフローチャート。
【図４】第１実施形態の変形例の原稿読取の際のフローチャート。
【図５】第２実施形態の昼の時間帯の原稿読取の際のフローチャート。
【図６】同じく、昼の時間帯のもう一度コピーの際のフローチャート。
【図７】第２実施形態の夜の時間帯の原稿読取の際のフローチャート。
【符号の説明】
【０１１３】
１０…ＭＰＵ（判断手段、暗号化手段、復号化手段、切替手段、制御手段）
２０…ＲＯＭ（実行動作データ記憶手段）
４０…読取部（画像読取手段）
５０…記録部（記録手段）
８０…画像メモリ（記憶手段）
９０…ＩＣタグリーダライタ部（タグ読取手段）
１４０…コーデック（第１実施形態において圧縮手段、伸張手段を構成する。第２実施形態において、ＭＰＵ１０とともに、圧縮手段、伸張手段を構成する）
【図１】
2006163057.tif 000003
【図２】
2006163057.tif 000004
【図３】
2006163057.tif 000005
【図４】
2006163057.tif 000006
【図５】
2006163057.tif 000007
【図６】
2006163057.tif 000008
【図７】
2006163057.tif 000009